(57)【要約】      （修正有）【課題】分配シュートが第一のバケットセット（ホッパー）への製品の流れを僅かしかコントロールできない。【解決手段】計測機１０は、製品が初めに分配される中央コーンを含む中央コーン組立体を有している。中央コーンは、溝の付けられた円錐部へ製品を分配する下方へ傾斜した円錐面を有しており、この円錐部は軸１１に関してほぼ半径方向に延びる複数のトラフと山部を有している。円錐部のトラフと山部とは、製品が重力により下方に流れ、シュート１８へと分配されるようにする。【選択図】図１
2012096926.tif 000002
【特許請求の範囲】
【請求項１】
重量計測機のためのシュートアセンブリであって、該アセンブリは、
直立の中央長手軸と、
該軸に関して、外方に延びる複数のシュートであって、各シュートは入口部と出口部とを有し、該入口部は、該出口部より該軸に近く位置している複数のシュートと、
該入口部と出口部との間に延びており、製品がそれに沿って流れるシュート通路であって、該通路は、製品が重力によりそれに沿って流れるように該出口部に向かって下方に傾斜しているシュート通路とを有しており、
該出口部は、該入口部から該軸に関して半径方向かつ角度を持って間隔を有しているシュートアセンブリ。
【請求項２】
各通路がほぼ直線状である請求項１に記載のアセンブリ。
【請求項３】
各シュートが、長手方向に延びる一対の側壁であって長手方向に延びるフロアから上方に延びている側壁を有している請求項１又は２に記載のアセンブリ。
【請求項４】
該一対の側壁の一つがほぼ直立である請求項３に記載のアセンブリ。
【請求項５】
該一対の側壁のうち第一のものがほぼ直立であり、第二のものが該フロアから該第一のものに対して外方上方に広がっている請求項３に記載のアセンブリ。
【請求項６】
該フロアが該軸から遠ざかるように長手方向下方に傾斜している請求項３，４，５の一つに記載のアセンブリ。
【請求項７】
請求項３ないし６の一つに記載のシュートアセンブリと複数のバケットとの組み合わせであって、各バケットは、これに関連する該シュートの一つと作用的に連携しており、該側壁の少なくとも一つが各バケットの中に延びている該シュートアセンブリと複数のバケットとの組み合わせ。
【発明の詳細な説明】
【技術分野】
【０００１】
本発明は、重量計測機（重量計）に関し、より特定すれば製品重量を測り、パッケージの製品を、形成機を介して包装機に分配する重量計測機に用いられるシュートに関するが、これに限定されない。
【背景技術】
【０００２】
包装業においては、特にスナック食品に関する包装に関しては、重量計測機（重量計）は、製品を受け、これをバッチで下方の包装機へと分配する。重量計測機は、製品を溜めて、製品重量を測る第二のバケットセットへ分配する第一のバケットセット（ホッパー）を有している。次に、所望重量のバッチが形成機に分配され最終的に下方の包装機へと分配されるように第二のバケットセットが動かされる。
【０００３】
重量計測機は、製品が初めに分配される中央コーンを有している。この中央コーンは、コーンから第一のバケットセットへおよそ半径方向下方に延びる複数のシュートへ製品を配向する。
【０００４】
重量計測機は、大体において直立した中央長手軸を有しており、各分配シュートはこの中央長手軸を通る平面に位置する長手軸を有している。従って、シュートはこの長手軸に対して半径方向に延びている。
【発明の概要】
【発明が解決しようとする課題】
【０００５】
上に説明した包装機は、分配シュートが第一のバケットセット（ホッパー）への製品の流れを僅かしかコントロールできないという不利がある。特に、バケットの一つが使用不能になると製品がこの不能バケットに流れ続けて溢れる。
【０００６】
従って、本発明の目的は、この不利を克服又は実質的に改良することである。
【課題を解決するための手段】
【０００７】
ここに開示されるのは、重量計測機のためのシュートアセンブリであって、このアセンブリは、
ほぼ直立の中央長手軸と、
この軸から外方に延びる複数のシュートで、各シュートは、入口部と出口部とを有し、入口部が出口部よりこの軸に近く位置している複数のシュートと、
入口部と出口部との間で延びており製品がこれに沿って流れるシュート通路で、この通路は、商品が重力により通路に沿って動くように出口部に向けて下方に傾斜しているシュート通路とを含んでおり、出口部は、この軸に対して入口部から半径方向および角度的に変位して間隔を有している。
【０００８】
好ましくは、各通路はほぼ直線状である。
【０００９】
好ましくは、各シュートは、長手方向に延びる一対の側壁を有し、側壁は長手方向に延びるフロアから上方に延びている。
【００１０】
好ましくは、両側壁の一つは直立である。
【００１１】
好ましくは、両側壁の第一は、ほぼ直立であり、第二のものはフロアから第一のものに対して上方外方へ広がっている。
【００１２】
好ましくは、このフロアは、この軸から遠ざかるように下方に長手方向に傾斜している。
【００１３】
さらに、ここには、シュートアセンブリと複数のバケットの組み合わせが開示されている。各バケットは、これに関連するシュートの一つと作用的に連携し、両側壁の少なくとも一つは各バケット内に延びている。
【図面の簡単な説明】
【００１４】
この発明の好ましい形態が、添付された図面を参照して例として説明される。
【図１】重量計測機（重量計）の等角概観図。
【図２】図１の重量計測機の概観平面図。
【図３】図１の重量計測機の概観側面図。
【図４】図１の部分「４」の等角概観図。
【図５】図２の部分「５」の拡大概観図。
【発明を実施するための形態】
【００１５】
添付された図面には、重量計測機１０が描かれている。一例として、重量計測機１０は、製品バッチを重量計測機１０の下の包装機に分配するために包装業界において用いられる重量計であってもよい。
【００１６】
計測機１０は、およそ直立した長手軸１１を有している。この軸の周りに配置されているのは、広くホッパーと呼ばれている第一のバケットセットで、製品を第二のバケットセットに分配するために受け取り溜める。このバケットセット１３は、バケット１３内に位置した重量セルと重量製品を有している。選択された数のバケット１３が開かれて所望の重量の製品バッチが下の包装機へ分配される。
【００１７】
バケット１２と１３は開位置と閉位置との間で動きうるドア１４を有している。バケット１２に関しては、ドア１４が開くと製品がバケット１３に分配される。バケット１３のドア１４が開くと、製品が計測機１０の下のシュートに分配される。このシュートは製品を包装機に分配する形成機に至る。
【００１８】
計測機１０は、製品が初めに分配される中央コーン１６を含む中央コーン組立体１５を有している。中央コーン１６は、溝の付けられた円錐部１７へ製品を分配する下方へ傾斜した円錐面を有しており、この円錐部１７は軸１１に関してほぼ半径方向に延びる複数のトラフ19と山部２０を有している。円錐部１７のトラフ１９と山部２０とは、製品が重力により下方に流れ、シュート１８へと分配されるようにする。
【００１９】
各トラフ１９は、それに対応するシュート１８の一つと整列しており、製品をこの対応シュート１８へと分配する。
【００２０】
各シュート１８は、入口端部２1と出口端部２２とを有しており、各シュート１８は、製品が流れてゆく長手方向の通路２３を有している。
【００２１】
各出口部２３は、これに関連する入口部２１よりも軸１１からさらに離れている。好ましくは、各通路２３はおよそ直線状である。しかし、通路は、軸１１の周りに僅かに曲がっていてもよい。
【００２２】
図２と５によく見えるように、各出口部２２は、それに関連する入口部２１から半径方向に間隔を設けられ、関連する入口部２１に関して軸１１の周りに角偏位されている。
【００２３】
各シュート１８は、一対の側壁２４、２５と共に、これら側壁がそこから上に延びているフロア２６を有している。好ましくは、側壁２４は、およそ直立であり、一方側壁２５は、フロア２６から側壁２４に対して上に広がっている。
【００２４】
フロア２６は、入口部２１から長手方向下方に傾斜して（軸１１から離れて）出口部２２に至り、製品が重力により、その方向に流れるようにされている。
【００２５】
好ましくは、各壁２５は、それに関連しているバケット１２の中に突出している端部２７を有している。
【図１】
2012096926.tif 000003
【図２】
2012096926.tif 000004
【図３】
2012096926.tif 000005
【図４】
2012096926.tif 000006
【図５】
2012096926.tif 000007
【外国語明細書】
2012096926.tif 000008
2012096926.tif 000009
2012096926.tif 000010
2012096926.tif 000011
2012096926.tif 000012
2012096926.tif 000013
2012096926.tif 000014
2012096926.tif 000015
2012096926.tif 000016
2012096926.tif 000017
2012096926.tif 000018